(57)【要約】【課題】パーティーなどで消費する飲み物やグラスの数量を低減できると共に、パーティー出席者の氏名等を知得可能で、かつ特定人の使用に限定されず繰り返し使用可能な陶磁製コースターを提供する。【解決手段】本考案の陶磁製コースター１は、使用者記名部３を備えたコースターであって、使用者記名部３は水性ペンにて書き込み可能で、かつ水性ペンのインクを拭き取ることにより消去可能な釉薬面にて形成されている。そして、使用者記名部に氏等を記載してパーティーなどで使用することにより、グラスが誰のものかが明確になるため、一人が多数のグラスを使用することが少なくなり、消費する飲み物やグラスの量を低減できる。また、使用者記名部を見ればパーティー出席者の氏等を知得できるため、氏等が不明で応対に戸惑うことが解消される。さらに、記載した氏等は容易に消去できるため、汎用的に繰り返し使用できる。【選択図】図１
0003111962.tif 000002
【実用新案登録請求の範囲】
【請求項１】
使用者記名部を備えたコースターであって、前記使用者記名部は水性ペンにて書き込み可能で、かつ前記水性ペンのインクを拭き取ることにより消去可能な釉薬面にて形成されていることを特徴とする陶磁製コースター。
【請求項２】
前記使用者記名部は、外方に向かって降下する傾斜面に形成されている請求項１に記載の陶磁製コースター。
【請求項３】
前記使用者記名部は、凹条部の底面にて形成されている請求項１または２に記載の陶磁製コースター。
【請求項４】
前記陶磁製コースターは、グラス配置用凹部を有している請求項１ないし３のいずれかに記載の陶磁製コースター。
【考案の詳細な説明】
【技術分野】
【０００１】
本考案は、繰り返して筆記または消去が可能な使用者記名部を備えた陶磁製コースターに関する。
【背景技術】
【０００２】
従来より、立食パーティーなどでは、使用済みの、或いは飲み物が注がれた使用者不明のグラスが多数発生し、その分、飲み物やグラスが多く消費されていた。また、使用者不明のグラスがテーブル上に多数並ぶため、随時回収しなければならなかった。
他方、パーティー出席者の氏名等を思い出せず、応対に戸惑うことが多々あった。
【０００３】
そのような問題を解決可能なものとして、名刺兼用コースター（特開平１１−８９６９２号）が提案されているが、氏名等が印刷されたものであるため、印刷した特定人のみが名刺代わりに配布するものであって汎用的なものではなかった。
【特許文献１】特開平１１−８９６９２号
【考案の開示】
【考案が解決しようとする課題】
【０００４】
本願は、上記問題を一挙に解決するために想起されたものであり、すなわち、本考案の課題は、パーティーなどで消費する飲み物やグラスの数量を低減できると共に、パーティー出席者の氏名等を知得可能で、かつ特定人の使用に限定されず繰り返し使用可能な陶磁製コースターを提供することにある。
【課題を解決するための手段】
【０００５】
上記課題を解決するものは、使用者記名部を備えたコースターであって、前記使用者記名部は水性ペンにて書き込み可能で、かつ前記水性ペンのインクを拭き取ることにより消去可能な釉薬面にて形成されていることを特徴とする陶磁製コースターである。
【０００６】
前記使用者記名部は、外方に向かって降下する傾斜面に形成されていることが好ましい。前記使用者記名部は、若干窪んだ凹条部の底面にて形成されていてもよい。前記陶磁製コースターは、グラス配置用凹部を有していることが好ましい。
【考案の効果】
【０００７】
請求項１に記載の考案によれば、使用者記名部に氏等を記載してパーティーなどで使用することにより、グラスが誰のものかが明確になるため、一人が多数のグラスを使用することが少なくなり、消費する飲み物やグラスの数量を低減できる。また、使用者記名部を見ればパーティー出席者の氏等を知得できるため、氏等が不明で応対に戸惑うことを解消できる。さらに、記載した氏等は容易に消去できるため、汎用的に繰り返し使用できる。
請求項２に記載の考案によれば、上記請求項１の効果に加え、使用者記名部がより見易くなる。
請求項３に記載の考案によれば、上記請求項１または２の効果に加え、使用者記名部が所定部位に特定されるため、氏名等をより認識し易くなると共に、使用中に指等が使用者記名部に触れて氏等が消去されてしまうことを回避できる。
請求項４に記載の考案によれば、上記請求項１ないし３の効果に加え、グラスを安定して保持できると共に、グラス配置部と使用者記名部を明確に分けることにより、記載された氏等がグラスの載置により隠れてしまうことを回避できる。
【考案を実施するための最良の形態】
【０００８】
本考案の陶磁製コースター１は、使用者記名部３を備えたコースターであって、使用者記名部３は水性ペンにて書き込み可能で、かつ水性ペンのインクを拭き取ることにより消去可能な釉薬面にて形成されていることを主要な特徴とする。
【実施例１】
【０００９】
まず、図１および図２に示した本考案の陶磁製コースター１の構成を図面を用いて順次詳述する。
図１は本考案の陶磁製コースターの一実施例の斜視図であり、図２は図１に示した陶磁製コースターの使用状態を示す斜視図である。
【００１０】
この実施例の陶磁製コースター１は、蒲鉾型（略半円柱形）に成形されており、中央部付近に平面視円形のコースター配置用凹部２を備え、図２に示すように、このコースター配置用凹部２にグラス１０の底部を挿入可能になっている。ただし、本考案の陶磁製コースターは、このような形態に限定されるものではなく、後述するような使用者記名部を備えるものであれば外観形態はどのようなものでもよく、例えば板状体、盤状体、或いはその他の立体的形態のものであってもよい。
【００１１】
陶磁製コースター１の形成材料としては、長石、珪石、陶石、粘土など一般的な陶磁原料が使用されており、その製造方法としては、陶磁器原料を混練した後、鋳込みや轆轤などで成形を行い、素焼きをした後、絵付けまたは施釉して本焼成する工程を経て作製されている。
【００１２】
陶磁製コースター１の上面は、使用者記名部３を構成しており、この使用者記名部３は水性ペンにて書き込み可能で、かつ水性ペンのインクを拭き取ることにより消去可能な釉薬面にて形成されている。なお、本願でいう「使用者記名部」とは、コースターを使用する者の氏、氏名、名前或いはニックネームなど広く使用者を表す呼び名を記載する部位を意味する。そして、この「使用者記名部」への記名は、使用者が自署してもよく、他の者、例えばパーティーの開催者等が使用者に代わって予め行ってもよい。
【００１３】
この実施例の使用者記名部３は、陶磁製コースター１の円弧状に湾曲した上面で構成されているが、他者が目視可能な部位であればどこでもよく、例えば両側面を使用者記名部としてもよい。なお、図３では、隣り合わせた者が比較的見やすい部位として、使用者側であって、外方に向かって降下する湾曲傾斜面に「田中」と記名されているように、当該部位が使用者記名部３として使用されている。また、この実施例の使用者記名部３は、特に区画されることなく、上面の一部をそのまま使用しているが、例えば、上面に若干窪んだ凹条部を設け、その底面にて使用者記名部を構成してもよい。さらに、絵付けの段階で枠などを形成するなどして区画された部位を構成し、使用者記名部としてもよい。
【００１４】
このような釉薬面は、釉薬原料中に釉薬層の表面がより平滑となる原料を添加することにより実現できるが、例えば、そのような原料しては、長石、炭酸リチウムなどのアルカリ原料、マグネサイト、タルク、石灰石、炭酸ストロンチウム、炭酸バリウムなどのアルカリ土類原料、または亜鉛華などが好適に使用できる。さらに、より平滑な釉薬面を形成するために、釉薬原料の粒度をより細かくすることが好ましい。
【００１５】
なお、この実施例の陶磁製コースター１は、使用者記名部３のみならず、ほぼ全表面が同様な釉薬面にて形成されているが、少なくとも使用者記名部が、水性ペンにて書き込み可能で、かつ水性ペンのインクを拭き取ることにより消去可能な釉薬面にて形成されたものは広く本考案の範疇に包含される。また、本考案の陶磁製コースターは陶磁製で成形性に富むため、後述する他の実施例のように所望形態に成形容易である。また、陶磁製コースター１は全体が陶磁製であるため、使用後は他の食器等と共に洗浄すればよく、その洗浄の際に水性ペンのインクは落ちるため、特に拭き取らなくても消去され、繰り返し使用することができる。
【００１６】
つぎに、図１および図２に示した陶磁製コースター１の使用方法について説明する。
例えば立食パーティー等各種パーティーで使用する場合は、使用者が使用者記名部３に署名を行う。なお、予め開催者が使用者の氏名等を使用者記名部３に記名して座席指定表代わりに各テーブル上に配置してもよい。そして、使用者は、図２に示すように、自分のグラス１０を記名されている陶磁製コースター１のグラス配置用凹部２に配置して使用する。会話する者同士は、相手の名前を忘れた場合、陶磁製コースター１の使用者記名部３に記名された氏等を目視でき、氏等が分からず応対に戸惑うことを回避できる。使用後は、食器等と同様にして洗浄すれば水性インクは落ちるため、他のパーティー等に繰り返し使用できる。なお、本考案の陶磁製コースターは、使用者記名部に記名せず単にコースターとして使用してもよく、陶磁製のため、食器と共に扱って繰り返し使用できる。
【００１７】
さらに、図３に示した本考案の他の実施例である陶磁製コースター２０について説明する。
この陶磁製コースター２０と前述した陶磁製コースター１との基本的な相違は、本体内部が空洞となっている点であり、円弧状に湾曲させた本体の上面が使用者記名部２３を構成すると共に、中央部に窪みが形成されグラス配置用凹部２２を構成している。このような構造とすることによって、より軽量な陶磁製コースターを構成できる。
【００１８】
また、図４に示した陶磁製コースター３０は円盤状に成形され、その上面が使用者記名部３３を構成すると共に、中央部に形成された窪みがグラス配置用凹部３２を構成している。
【００１９】
図５および図６に示した陶磁製コースター４０は、前述した陶磁製コースター３０と同様、平面視で円形のものであるが、ハマ４３が設けられている点が基本的な相違点である。すなわち、図５に示すように、中央に設けられたグラス配置用凹部４２と、その周囲に断面視波状に延在し上面にて使用者記名部４４を形成した環状外延部と、グラス配置用凹部４２の下部に形成された環状のハマ４３とからなり、ハマ４３により載置可能に構成されている。
【００２０】
図７および図８に示した陶磁製コースター５０は、図７に示すように、平面視卵型であり、偏心した位置に設けられた窪み５４の底面および側面にて形成されたグラス配置用凹部５２と、グラス配置用凹部５２が設けられていない部位の上面に形成された使用者記名部５３と、陶磁製コースター５０を載置可能とする外縁部５５とから構成されている。
【００２１】
図９および図１０に示した陶磁製コースター６０は、図７および図８に示した陶磁製コースター５０と近似した形態であるが、偏心した位置に設けられたグラス配置用凹部６２と、グラス配置用凹部６２が設けられていない部位が、図９中下方に向かって若干延出するように歪んだ形態に形成されており、その上面にて使用者記名部６３が構成されている。さらに、グラス配置用凹部６２の下方にはハマ６４が構成され、このハマ６４により陶磁製コースター６０が載置可能となっている。このように、本考案の陶磁製コースターの態様としては様々な形態のものが考えられる。
【図面の簡単な説明】
【００２２】
【図１】本考案の陶磁製コースターの一実施例の斜視図である。
【図２】図１に示した陶磁製コースターの使用状態を示す斜視図である。
【図３】本考案の陶磁製コースターの他の実施例の斜視図である。
【図４】本考案の陶磁製コースターの他の実施例の斜視図である。
【図５】本考案の陶磁製コースターの他の実施例の斜視図である。
【図６】図５に示した陶磁製コースターの正面側部分断面図である。
【図７】本考案の陶磁製コースターの他の実施例の平面図である。
【図８】図７に示した陶磁製コースターの側面図である。
【図９】本考案の陶磁製コースターの他の実施例の平面図である。
【図１０】図９に示した陶磁製コースターの側面図である。
【符号の説明】
【００２３】
１    陶磁製メモ書き
２    グラス配置用凹部
３    使用者記名部
【図１】
0003111962.tif 000003
【図２】
0003111962.tif 000004
【図３】
0003111962.tif 000005
【図４】
0003111962.tif 000006
【図５】
0003111962.tif 000007
【図６】
0003111962.tif 000008
【図７】
0003111962.tif 000009
【図８】
0003111962.tif 000010
【図９】
0003111962.tif 000011
【図１０】
0003111962.tif 000012